(57)【要約】【課題】  多様な取付場所および取付姿勢を可能とし、室内のスペースを有効に活用できる室外設置型室内ユニットを提供することを目的とする。【解決手段】  吸引ダクト４９を介して室内空気を取り込む吸引口部５１と、吸引口部５１から取り込まれた室内空気の少なくとも一部を、外部から取り入れた外部空気と熱交換して排出する全熱交換器１３と、内部空気を冷却または加熱するための室内熱交換器２１と、吸引口部５１から室内空気を取り入れるとともに、室内熱交換器２１により熱交換された空気を吹出口部５５から吹出ダクト５３を介して室内に吹き出させるためのシロッコファン１７と、これらを装着するケーシング１１と、が備えられ、ケーシング１１には、全熱交換器セクションパネル４１等が着脱可能に取り付けられた前面３９が備えられ、吸引口部５１および吹出口部５５は、ケーシング１１における前面３９に交差する上面４７に備えられている。【選択図】      図４
2008122009.tif 000002
【特許請求の範囲】
【請求項１】
吸引ダクトを介して室内空気を取り込む吸引口部と、
該吸引口部から取り込まれた室内空気の少なくとも一部を、外部から取り入れた外部空気と熱交換して排出する全熱交換器と、
内部空気を冷却または加熱するための室内熱交換器と、
前記吸引口部から室内空気を取り入れるとともに、前記室内熱交換器により熱交換された空気を吹出口部から吹出ダクトを介して室内に吹き出させるための送風機と、
これらを装着する箱体と、が備えられ、
該箱体には、板部材が着脱可能に取り付けられたメンテナンス面が備えられ、
前記吸引口部および前記吹出口部は、前記箱体における前記メンテナンス面に交差する交差面に備えられていることを特徴とする室外設置型室内ユニット。
【請求項２】
前記箱体の内部には、前記吹出ダクトあるいは前記吸引ダクトに設置されたマイクロフォンによって検知された騒音波形を打ち消す音波形を出力するスピーカが備えられていることを特徴とする請求項１に記載された室外設置型室内ユニット。
【請求項３】
少なくとも１台の請求項１または請求項２に記載された室外設置型室内ユニットと、該室外設置型室内ユニットの前記室内熱交換器に冷媒を循環させる室外ユニットと、を備えていることを特徴とする空気調和装置。
【発明の詳細な説明】
【技術分野】
【０００１】
本発明は、室外設置型室内ユニットおよびこれを用いた空気調和装置に関するものである。
【背景技術】
【０００２】
空気調和装置の室内ユニットは、居住空間、店舗等のスペースをできるだけ広く使えるようにするため、床置き形から壁掛け形、さらには天井吊下げ形、天井カセット形、天井埋込形と設置場所が室内の上の方に変化している。
しかし、いずれも基本的に室内に設置される形態であるため、フィルタの交換等の日常メンテナンスおよびドレン配管による水漏れ対応、熱交換器の洗浄、修理等のメンテナンスを行なう場合には、室内の養生が必要であるという問題があった。
また、例えば、室内配管が長くなるような場合には、室内景観を阻害する恐れがあった。
【０００３】
これを解消するものとして、例えば、特許文献１および特許文献２に示されるものが提案されている。
特許文献１に示されるものは、空気調和機を設置する側の壁の上部に空気を室内側に吹き出す空気吹出し口が設けられ、この空気吹出し口の下方における床に近い壁に室内空気を室外側に吸い込む空気吸込み口が設けられている。
さらに、室内ユニットの背面を外側にして空気吹出し側の正面が空気吹出し口の室外側の壁面に取り付けられ、空気吸込み口と室内ユニットの空気取入れ口とを連通させるダクトが室外に設けられ、このダクト内に室内ユニットと室外ユニットとを接続する冷媒配管が収納されている。
そして、室内ユニットは、その背面側に取外し可能に装着され、かつ、取外すことによって室内ユニットの内部機器を点検したり、追加オプション機器を取付けたりする室外側背面板を備えている。
【０００４】
また、特許文献２に示されるものは、室外ユニット、室内ユニットおよび換気用の全熱交換器を一体化し、室内と複数の通気ダクトを介して連結されるものである。そして、この通気ダクトにスピーカを設置し、室内空気供給用ファンのファンモータの駆動信号生成回路より得られた信号をもとに、通気ダクトのスピーカ設置部近傍における騒音の波形と逆位相の音を出す信号処理回路により生成し、スピーカに供給し、騒音を低減させるものである。
【０００５】
【特許文献１】特開２００４−２７８９９６号公報
【特許文献２】特許２７６０２１４号公報
【発明の開示】
【発明が解決しようとする課題】
【０００６】
しかしながら、特許文献１に示されるものは、メンテナンス用の着脱可能な室外側背面板が、空気吹出し部の対向する面に設けられ、かつ、空気吸込み口が、室外側背面板および空気吹出し部と交差する面に設けられているので、良好なメンテナンスを行うためには、取付場所、姿勢が限定されるという問題があった。
また、特許文献２に示されるものは、室外ユニット、室内ユニットおよび換気用の全熱交換器が一体化されているので、重量が大きくなり設置場所が限定されるという問題があった。
さらに、特許文献２に示されるものは、スピーカが通気ダクトに設けられるので、複数の通気ダクトがあるものは、その数だけシステムを設ける必要があり、コストアップとなるという問題があった。
【０００７】
本発明は、上記問題点に鑑み、多様な取付場所および取付姿勢を可能とし、室内のスペースを有効に活用できる室外設置型室内ユニットおよびこれを用いた空気調和装置を提供することを目的とする。
また、本発明は、安価に、効率的に騒音を防止できる室外設置型室内ユニットおよびこれを用いた空気調和装置を提供することを目的とする。
【課題を解決するための手段】
【０００８】
上記課題を解決するために、本発明は以下の手段を採用する。
すなわち、本発明にかかる室外設置型室内ユニットは、吸引ダクトを介して室内空気を取り込む吸引口部と、該吸引口部から取り込まれた室内空気の少なくとも一部を、外部から取り入れた外部空気と熱交換して排出する全熱交換器と、内部空気を冷却または加熱するための室内熱交換器と、前記吸引口部から室内空気を取り入れるとともに、前記室内熱交換器により熱交換された空気を吹出口部から吹出ダクトを介して室内に吹き出させるための送風機と、これらを装着する箱体と、が備えられ、該箱体には、板部材が着脱可能に取り付けられたメンテナンス面が備えられ、前記吸引口部および前記吹出口部は、前記箱体における前記メンテナンス面に交差する交差面に備えられていることを特徴とする。
【０００９】
本発明にかかる室外設置型室内ユニットは、例えば、室内外壁に取り付けられるので、室内のスペースを有効に活用することができる。
そして、室外設置型室内ユニットでは、吸引ダクトから取り込まれた室内空気は、その少なくとも一部が全熱交換器によって外部から取り入れた外部空気と熱交換して排出される。残りの室内空気および全熱交換器で熱交換された外部空気は、送風機によって室内熱交換器をとおり、そこで冷却または加熱され、吹出口部から吹出ダクトを介して室内に吹き出される。
このように、室内空気を排出するとともに取り入れた外部空気と熱交換させる全熱交換器が備えられているので、省エネルギーによる換気を行うことができる。また、室内熱交換器への冷媒の供給あるいは非供給によって冷暖房、換気、吸気等を適宜行うことができる。
このため、建築基準法によって義務付けされた換気用の設備（換気ユニット、給排気用のダクト等）を別途設置する必要がなくなる。
【００１０】
これらの機器が装着された箱体には、板部材が着脱可能に取り付けられたメンテナンス面と、吸引口部および吹出口部が備えられ、メンテナンス面に交差する交差面とが備えられているので、メンテナンス面を前面に向けると交差面は、上面、下面あるいは両側面とすることができ、どのような位置でも吸引口部および吹出口部は無理なく室内と接続することができる。
また、設置する場所における上下方向のスペースが少なくて、メンテナンス面を前面に配置できない場合には、メンテナンス面を下方に（場合によっては上方に）向くように配置する。このようにしても、交差面は側面に位置するので、どのような位置でも吸引口部および吹出口部は無理なく室内と接続することができる。
さらに、室外設置型室内ユニットは、重量のある室外ユニットが含まれていないので、比較的軽量である。
したがって、この室外設置型室内ユニットは、種々な設置場所にメンテナンスし易い状態で容易に設置することができる。
例えば、集合住宅においてよく求められる左右勝手の違いも、メンテナンス面が前面を向く場合には上下方向を変更することで、メンテナンス面が下面を向く場合には外壁面側を変更することで容易に対応することができる。
また、さらに、室外設置型室内ユニットは室外に設置されているので、メンテナンスが室外で行うことができる。このため、メンテナンスのために室内の養生が必要でなくなるので、その分メンテナンス作業を容易に行うことができる。
【００１１】
また、本発明にかかる室外設置型室内ユニットでは、前記箱体の内部には、前記吹出ダクトあるいは前記吸引ダクトに設置されたマイクロフォンによって検知された騒音波形を打ち消す音波形を出力するスピーカが備えられていることを特徴とする。
【００１２】
吹出ダクトあるいは吸引ダクトを介して室内へ伝播される騒音は、風切り音ではなく、ほとんどが送風機等の作動音である。
本発明にかかる室外設置型室内ユニットによれば、箱体の内部に備えられたスピーカが吹出ダクトあるいは吸引ダクトに設置されたマイクロフォンによって検知された騒音波形を打ち消す音波形を出力して、吹出ダクトおよび吸引ダクトに生じる騒音を低減することができる。
このように、発生源が存在する箱体の内部にスピーカを備えているので、効率的に騒音を防止できるとともに吹出ダクトあるいは吸引ダクトの数によらず一セットで対応することができる。このため、通気ダクトごとにスピーカシステムを備えるものに比べて安価に製造することができる。
【００１３】
本発明にかかる空気調和装置は、少なくとも１台の請求項１または請求項２に記載された室外設置型室内ユニットと、該室外設置型室内ユニットの前記室内熱交換器に冷媒を循環させる室外ユニットと、を備えていることを特徴とする。
【００１４】
本発明にかかる空気調和装置は、少なくとも１台の請求項１または請求項２に記載された室外設置型室内ユニットと、室外設置型室内ユニットの室内熱交換器に冷媒を循環させる室外ユニットと、を備えているので、ほとんど全て室外に設置されることになり、室内のスペースを有効に活用することができる。
また、室内空気を排出するとともに取り入れた外部空気と熱交換させる全熱交換器が備えられているので、省エネルギーによる換気を行うことができ、また、室内熱交換器への冷媒の供給あるいは非供給によって冷暖房、換気、吸気等を適宜行うことができる。
このため、建築基準法によって義務付けされた換気用の設備（換気ユニット、給排気用のダクト等）を別途設置する必要がなくなる。
この室外設置型室内ユニットは、上述のように室外で種々な設置場所にメンテナンスし易い状態で容易に設置することができるので、空気調和装置はメンテナンスを容易に行うことができる。
【発明の効果】
【００１５】
請求項１に記載の発明によれば、例えば、室内外壁に取り付けられるので、室内のスペースを有効に活用することができる。
また、室内空気を排出するとともに取り入れた外部空気と熱交換させる全熱交換器が備えられているので、省エネルギーによる換気を行うことができ、かつ、室内熱交換器への冷媒の供給あるいは非供給によって冷暖房、換気、吸気等を適宜行うことができる。
このため、建築基準法によって義務付けされた換気用の設備（換気ユニット、給排気用のダクト等）を別途設置する必要がなくなる。
これらの機器が装着された箱体には、板部材が着脱可能に取り付けられたメンテナンス面と、吸引口部および吹出口部が備えられ、メンテナンス面に交差する交差面とが備えられているので、この室外設置型室内ユニットは、種々な設置場所にメンテナンスし易い状態で容易に設置することができる。
さらに、メンテナンスのために室内の養生が必要でなくなるので、その分メンテナンス作業を容易に行うことができる。
【００１６】
請求項２に記載の発明によれば、発生源が存在する箱体の内部にスピーカを備えているので、効率的に騒音を防止できるとともに吹出ダクトあるいは吸引ダクトの数によらず一セットで対応することができる。このため、通気ダクトごとにスピーカシステムを備えるものに比べて安価に製造することができる。
【００１７】
請求項３に記載の発明によれば、少なくとも１台の請求項１または請求項２に記載された室外設置型室内ユニットと、室外設置型室内ユニットの室内熱交換器に冷媒を循環させる室外ユニットと、を備えているので、ほとんど全て室外に設置されることになり、室内のスペースを有効に活用することができる。
また、室内空気を排出するとともに取り入れた外部空気と熱交換させる全熱交換器が備えられているので、冷暖房、換気、吸気等を適宜行うことができる。
このため、建築基準法によって義務付けされた換気用の設備（換気ユニット、給排気用のダクト等）を別途設置する必要がなくなる。
この室外設置型室内ユニットは、上述のように室外で種々な設置場所にメンテナンスし易い状態で容易に設置することができるので、空気調和装置はメンテナンスを容易に行うことができる。
【発明を実施するための最良の形態】
【００１８】
以下、本発明の一実施形態について、図１〜図６を用いて説明する。
図１〜図３は、本実施形態にかかる室外設置用室内ユニットの外観を示し、図１は正面図、図２は側面図、図３は底面図である。
図４は、室外設置用室内ユニットの内部概略構成を示す正面図である。図５は、スピーカの作用を説明するグラフである。図６は、本実施形態にかかる空気調和装置および室外設置用室内ユニットの配置例を示す斜視図である。
【００１９】
本実施形態にかかる空気調和装置１は、図６に示されるように１台の室外ユニット３に、複数台、例えば２台の室外設置型室内ユニット３が接続された、マルチ室内ユニットタイプと称されるものである。
なお、図６には２台以外にも室外設置用室内ユニット５を記載しているが、これは室外設置用室内ユニット５の設置状態を説明するためである。
これら室外ユニット３および室外設置用室内ユニット５は、冷媒が導通する冷媒配管である液管７およびガス管９や図示しない電気配線等により接続されている。
【００２０】
空気調和装置１は、室外ユニット３および室外設置用室内ユニット５の各機器を液管７およびガス管９によって接続し、冷媒が状態を変えて循環する冷媒回路を構成している。
室外ユニット３には、圧縮機、室外熱交換器、等が備えられている。
室外ユニット３は、冷房時には、冷却した液冷媒を液管７によって各室外設置用室内ユニット５へ供給し、暖房時には、高温高圧のガス冷媒を各室外設置用室内ユニット５に供給する。
【００２１】
室外設置用室内ユニット５には、ケーシング（箱体）１１と、全熱交換器１３と、ロールフィルタ１５と、シロッコファン（送風機）１７と、ファンモータ１９と、室内熱交換器２１と、排気用ファン２３と、外部空気取入用ファン２５と、ゴミ排出ファン２７と、制御箱２９とが備えられている。
ケーシング１１は、略直方体形状をした中空体である。ケーシング１１の内部は、仕切部材３１によって全熱交換器１３等を設置する全熱交換器セクション３３と、室内熱交換器２１等を設置する室内熱交換器セクション３５と、シロッコファン１７等を設置する送風機セクション３７とに区切られている。
【００２２】
ケーシング１１の前面（メンテナンス面）３９には、全熱交換器セクション３３、室内熱交換器セクション３５および送風機セクション３７が略全面に亘り開口している。
これらの開口部を覆うようにそれぞれ全熱交換器セクションパネル（板部材）４１、室内熱交換器セクションパネル（板部材）４３および送風機セクションパネル（板部材）４５が備えられている。
全熱交換器セクションパネル４１、室内熱交換器セクションパネル４３および送風機セクションパネル４５は、前面３９にパッキン等を介して密封できるように着脱可能に取り付けられている。
【００２３】
ケーシング１１の前面３９と略直交するように交差する上面（交差面）４７には、吸引ダクト４９が接続される吸引口部５１と、吹出ダクト５３が接続される吹出口部５５とが備えられている。
吸引口部５１は、全熱交換器セクション３３に位置し、吹出口部５５は室内熱交換器セクション３５に位置している。
ケーシング１１の上面４７および下面５７の両端部で、背面５９側には、ネジが切られた貫通孔６１を有する固定金具６３が固定して取付けられている。
【００２４】
排気用ファン２３は、全熱交換器セクション３３の側面６５下部に排気開口部６７を有し、内側に開閉可能な排気扉６９を有する排気ダクト７１の中に取付けられている。
外部空気取入用ファン２５は、全熱交換器セクション３３の下部側面６５側に配置され、全熱交換器セクション３３の下面に取入開口部７３を有し、内側に開閉可能な取入扉７５を有する取入ダクト７７の中に取付けられている。
ゴミ排出ファン２７は、全熱交換器セクション３３の下部中央側に配置され、全熱交換器セクション３３の下面に排出開口部７９を有し、内側に開閉可能な排出扉８１を有する排出ダクト８３の中に取付けられている。
【００２５】
ロールフィルタ１５は、全熱交換器セクション３３と送風機セクション３７とを区切る仕切部材３１に設けられた開口部に設置され、シロッコファン１７に吸引されて通過する吸引口部５１から吸引された室内空気に含まれるダスト等のゴミを分離して回収する機能を奏する。
ロールフィルタ１５で回収されたゴミは図示しない掻き取り等の回収手段によって除去され、ゴミ排出ファン２７によって外部に排出される。
【００２６】
シロッコファン１７は、複数枚の羽根を環状配置させて円筒をなし、ファンモータ１９によって回転させられる。シロッコファン１７は、この羽根の回転によってこの円筒の軸線中心部に流入する空気を円筒の接線方向に、室内熱交換器２１に向けて送り出すものである。
室内熱交換器２１は、シロッコファン１７によって送られる空気を冷却あるいは加熱するもので、例えば、複数のプレートフィンを平行に配列するとともにその両側にそれぞれ側板を配置し、かつこれら側板および複数のプレートフィンの間に冷媒の流れるチューブを配設した構成とされている。
すなわち、このチューブの両端に液管７とガス管９とが接続されている。
液管７には、膨張弁８５とストレーナ８７とが備えられている。
【００２７】
空気調和装置１の運転等を制御する制御部が収納されている制御箱２９は、送風機セクション３７の下部に設置されている。
制御箱２９のシロッコファン１７側には、スピーカ８９が取付けられている。制御箱２９に設けられた図示しない信号処理回路によって、吹出ダクト５３内に設置されたマイクロフォン９１で検出された騒音波形Ｓ１をもとに、それと逆位相の音波形Ｓ２を出すような信号が形成され、スピーカ８９に供給される。スピーカ８９は、この信号に応じて音波形Ｓ２に従った音を発生するように構成されている。
なお、マイクロフォン９１は、吸引ダクト４９内に設置するようにしてもよい。
【００２８】
室内熱交換器セクション３５の室内熱交換器２１の下方には室内熱交換器２１で発生するドレンを受けるドレンパン９２が備えられている。
ドレンパン９２に貯留したドレンは、ドレン管９３を通って機外に排出される。
ケーシング１１の下面５７には、液管７が通る貫通孔９５と、ガス管９が通る貫通孔９６と、図示しない配線等が通る貫通孔９７と、ドレン管９３が通る貫通孔９８とが備えられている。
【００２９】
以上説明した本実施形態にかかる空気調和装置１の動作について説明する。
まず、空気調和装置１の取付けについて、図６に示される集合住宅の場合を例として説明する。
室外ユニット３は、ベランダ１０３の所定位置に載置される。
２台の室外設置型室内ユニット５は、部屋の外壁１０１に取付けられる。
室外設置型室内ユニット５Ａは、取付位置における幅方向寸法に余裕があるので、上面４７、すなわち、吸引ダクト４９および吹出ダクト５３が上になるように配置し、固定金具６３をコンクリートボルトによって外壁１０１に固定することで取付けられる。
【００３０】
室外設置型室内ユニット５Ｂは、取付位置における幅方向寸法が小さいので、上面４７が側部になるように配置され、固定金具６３をコンクリートボルトによって外壁１０１に固定することで取付けられる。
室外ユニット３と各室外設置型室内ユニット５との間に、液管７およびガス管９によって接続する。また、ドレン管９３を設置する。
そして、外壁１０１に設けられた孔にそれぞれ吸引ダクト４９および吹出ダクト５３の先端を挿入し、室内側の吹出部あるいは吸引部に装着する。
このように、室外設置型室内ユニット５は、例えば、外壁１０１に取り付けられるので、室内のスペースを有効に活用することができる。
【００３１】
室外設置型室内ユニット５Ｂは、ベランダ１０３側から見て、吸引ダクト４９および吹出ダクト５３がケーシング１１の右側に、言い換えると、吸引ダクト４９および吹出ダクト５３の位置に対してケーシングが左側に、位置している。
しかし、吸引ダクト４９および吹出ダクト５３の位置に対して左側にケーシング１１を取付けるスペースがない場合には、室外設置型室内ユニット５ａに示されるように、室外設置型室内ユニット５Ｂに対して上下が逆になるように取付ける。
これらは、前面３９が上下方向に延在するので、縦置きと称する。
【００３２】
そして、例えば、室外設置型室内ユニット５の設置位置における上下方向高さが小さく室外設置型室内ユニット５Ａ，５Ｂ，５ａのように縦長に設置できない場合、室外設置型室内ユニット５ｂ，５ｃ，５ｄに示されるように前面３９が下側に向き、かつ、横方向に延在する形（横置き）で設置される。
ケーシング１１は、固定金具６３が吊りボルト１０５の先端に取付けられることによって、例えば、上の階のベランダ１０３の下面に吊下げられる。
このように横置き配置とすると、設置場所の上下方向高さはケーシング１１の厚みと略同等以上あればよい。
【００３３】
室外設置型室内ユニット５ｃは、室外設置型室内ユニット５ｂの外壁側側面がベランダ側に位置するように取付けられている。
これにより、吸引ダクト４９および吹出ダクト５３が室外設置型室内ユニット５ｂではケーシングの右側に位置しているのに対して、室外設置型室内ユニット５ｃでは左側に位置している。
このように、集合住宅においてよく求められる左右勝手の違いに対応することができる。
【００３４】
室外設置型室内ユニット５ｄは、吸引ダクト４９および吹出ダクト５３が外壁１０１を向くように設置されている。吸引ダクト４９および吹出ダクト５３は、天井裏を延設され、天井から空気を吹出し、あるいは吸引するようにされている。
室外設置型室内ユニット５が、どうしても外壁１０１に設置できない場合には、室外設置型室内ユニット５ｅに示されるように、下り天井１０７を形成し、その上方に、前面３９が下側になるように設置するようにしてもよい。
この場合、排気開口部６７と外部とを連通させる排気ダクト１０９および取入開口部７３と外部とを連通させる取入ダクト１１１を設置する必要がある。
【００３５】
このように、室外設置型室内ユニット５は、前面３９が外側（前側）あるいは下側に向いた状態で多様なニーズに対応した位置に設置できるので、全熱交換器セクションパネル４１、室内熱交換器セクションパネル４３および送風機セクションパネル４５に容易に接近することができる。
したがって、全熱交換器セクションパネル４１、室内熱交換器セクションパネル４３あるいは送風機セクションパネル４５を取り外すことによって、ケーシング１１内部に取り付けられた機器のメンテナンスを簡単に、かつ、確実に実施することができる。
また、室外設置型室内ユニット５は室外に設置されているので、メンテナンスが室外で行うことができる。このため、メンテナンスのために室内の養生が必要でなくなるので、その分メンテナンス作業を容易に行うことができる。
【００３６】
次に、空気調和装置１の各種運転について説明する。
まず、冷房運転を行う場合には、室外ユニット５から液管７により室内熱交換器２１に冷めたい液冷媒が供給される。その途中で液冷媒は膨張弁８５によって膨張され室内熱交換器２１に流入する。
そして、シロッコファン１７の回転により、吸込ダクト４９を介して吸引口部５１から取り入れられた室内空気は、ロールフィルタ１５でダスト等のゴミを分離された状態で、室内熱交換器２１を通過して冷却される。この室内熱交換器２１で冷却された空気が吹出口部５５を通って吹出ダクト５３から室内に吹き出され、室内の冷房を行う。
室内熱交換器２１を流れる冷媒は、室内空気との熱交換によって暖められてガス化し、ガス管９を通って室外ユニット３に戻される。
【００３７】
また、暖房運転を行う場合には、室外ユニット５からガス管９により室内熱交換器２１に暖かいガス冷媒が運ばれ、上述の冷房運転と同様に流れる室内空気を暖める。
この室内熱交換器２１で冷却された空気が吹出口部５５を通って吹出ダクト５３から室内に吹き出され、室内の暖房を行う。
室内熱交換器２１を流れる冷媒は、室内空気との熱交換によって冷却されて液化し、液管７を通って室外ユニット３に戻される。
【００３８】
この場合、排気扉６９および取入扉７５を開き、排気用ファン２３および外部空気取入用ファン２５を回転させる。
排気用ファン２３が回転すると吸引口部５１から取り入れられた室内空気の一部が全熱交換器１３に取り込まれ、全熱交換器１３および排気ダクト７１を通って排気開口部６７から外部に排気される。
一方、外部空気取入用ファン２５が回転すると、取入開口部７３から取入ダクト７７を通って全熱交換器１３に外部空気が供給される。
全熱交換器１３に供給された外部空気は、全熱交換器１３を通って排気される室内空気と熱交換され、残りの室内空気とともに室内熱交換器２１によって冷却あるいは加熱されて吹出ダクト５３を通り室内に供給される。
【００３９】
このように、室内空気の一部を排出するとともにそれと取り入れた外部空気との間で熱交換させる全熱交換器１３が備えられているので、省エネルギーを図った冷暖房を伴った換気を行うことができる。
室内熱交換器２１に冷媒を供給しない状態で、排気用ファン２３および外部空気取入用ファン２５を運転すれば、室内の環境を略維持した状態での換気を行うことができる。
また、外部空気取入用ファン２５のみを作動させれば、外部空気を取り込む（吸気）ことができる。
このように、本実施形態の空気調和装置１は、冷暖房、換気、吸気等の種々の運転を行うことができる。
このため、建築基準法によって義務付けされた換気用の設備（換気ユニット、給排気用のダクト等）を別途設置する必要がなくなる。
【００４０】
吹出ダクト５３あるいは吸引ダクト４９を介して室内へ伝播される騒音は、風切り音ではなく、ほとんどがシロッコファン１７、ファンモータ１９、排気用ファン２３、外部空気取入用ファン２５等の作動音である。
制御箱２９に設けられた図示しない信号処理回路が、吹出ダクト５３内に設置されたマイクロフォン９１で検出された騒音波形Ｓ１をもとに、それと逆位相の音波形Ｓ２を出すような信号を形成し、スピーカ８９に供給する。
スピーカ８９は、この信号に応じて音波形Ｓ２に従った音を発生する。
これにより、騒音波形Ｓ１と音波形Ｓ２とは相互に打ち消され、騒音波形Ｓ１は、騒音波形Ｓのように低減される。
【００４１】
この場合、スピーカ８９が発生する音波形Ｓ２は騒音源であるシロッコファン１７、ファンモータ１９、排気用ファン２３、外部空気取入用ファン２５等が発生する騒音を低減させることになるので、騒音の低減が効率的であるとともに同時に吸引ダクト４９を介して伝播される騒音をも低減することができる。
このように、発生源が存在するケーシング１１の内部にスピーカ８９が備えられているので、効率的に騒音を防止できるとともに吹出ダクト５３あるいは吸引ダクト４９の数によらず一セットで対応することができる。
このため、通気ダクトごとにスピーカシステムを備えるものに比べて安価に製造することができる。
【００４２】
なお、ロールフィルタ１５によって分離されたダスト等のゴミは、例えば、ロールフィルタ１５の表面を掻き取り、排出扉８１を開いてゴミ排出ファン２７を作動させ、排出開口部７９から外部に排出することができる。
【００４３】
なお、本発明は上述した実施形態に限定されるものではなく、本発明の要旨を逸脱しない範囲内において適宜変更することができる。
例えば、本実施形態では、本発明を室外ユニット３に対して複数の室外設置型室内ユニット５が取付けられるマルチ室内ユニットタイプに適用したとして説明したが、これに限定されるものではなく、室外ユニット３に対して１台の室外設置型室内ユニット５が設けられるタイプに適用してもよいし、その他の形式の空気調和装置に適用してもよい。
【図面の簡単な説明】
【００４４】
【図１】本発明の一実施形態にかかる室外設置型室内ユニットの外観を示す正面図である。
【図２】図１の側面図である。
【図３】図１の底面図である。
【図４】本発明の一実施形態にかかる室外設置型室内ユニットの内部構造を示す正面図である。
【図５】本発明の一実施形態にかかるスピーカの機能を説明するグラフである。
【図６】本発明の一実施形態にかかる空気調和装置の設置状態を示す斜視図である。
【符号の説明】
【００４５】
１  空気調和装置
３  室外ユニット
５，５Ａ，５Ｂ，５ａ，５ｂ，５ｃ，５ｄ，５ｅ  室外設置型室内ユニット
１１  ケーシング
１３  全熱交換器
１７  シロッコファン
２１  室内熱交換器
３９  前面
４１  全熱交換器セクションパネル
４３  室内熱交換器セクションパネル
４５  送風機セクションパネル
４７  上面
４９  吸引ダクト
５１  吸引口部
５３  吹出ダクト
５５  吹出口部
８９  スピーカ
９１  マイクロフォン
【図１】
2008122009.tif 000003
【図２】
2008122009.tif 000004
【図３】
2008122009.tif 000005
【図４】
2008122009.tif 000006
【図５】
2008122009.tif 000007
【図６】
2008122009.tif 000008